【手続補正書】
【提出日】平成18年12月13日(2006.12.13)
【手続補正１】
【補正対象書類名】特許請求の範囲
【補正対象項目名】全文
【補正方法】変更
【補正の内容】
【特許請求の範囲】
【請求項１】
α-βエチレン性不飽和モノマーを、
(Ａ)金属化合物を、(Ｂ)(１)α-βエチレン性不飽和ヒドロキシ化合物と(２)ポリカルボン酸または無水物、酸化硫黄、または酸化リンを含んでなる反応性混合物の反応生成物である酸官能性化合物と反応させることによって製造された、油溶性金属塩と
共重合させることによって製造された、
可逆性架橋挙動を示す、ホットメルト接着剤、感圧接着剤またはシーラントから選択される接着剤組成物。
【請求項２】
フリーラジカル開始剤の存在下で製造された、請求項１に記載の接着剤組成物。
【請求項３】
感圧接着剤は、溶媒系接着剤である、請求項１または２に記載の接着剤組成物。
【請求項４】
α-βエチレン性不飽和モノマーは、一以上の(メタ)アクリレートである、請求項１〜３のいずれかに記載の接着剤組成物。
【請求項５】
上記不飽和モノマーは、ブチルアクリレートと２-エチルヘキシルアクリレートの混合物である、感圧接着剤の形態の請求項４に記載の接着剤組成物。
【請求項６】
放射条件の非存在下で硬化された、請求項１〜５のいずれかに記載の接着剤組成物。
【請求項７】
上記金属化合物の金属は、リチウム、ナトリウム、カリウム、セシウム、マグネシウム、カルシウム、ストロンチウム、バリウム、チタン、ジルコニウム、バナジウム、クロム、モリブデン、タングステン、マンガン、鉄、コバルト、ニッケル、パラジウム、銅、亜鉛、カドミウム、水銀、ホウ素、アルミニウム、ガリウム、インジウム、ケイ素、ゲルマニウム、スズ、鉛、アンチモン、およびビスマスからなる群から選択される、請求項１〜６のいずれかに記載の接着剤組成物。
【請求項８】
上記金属化合物は、酸化亜鉛である、請求項７に記載の接着剤組成物。
【請求項９】
上記ポリカルボン酸または無水物、酸化硫黄、または酸化リンは、フタル酸、トリメリト酸無水物、ピロメリト酸無水物、５-ノルボルネン-エンド-２,３-ジカルボン酸無水物、ナフチル酸無水物、ナフタレンテトラカルボン酸二無水物、無水マレイン酸、コハク酸無水物、クロレンド酸無水物、マレイン酸、コハク酸、フマル酸、シュウ酸、マロン酸、グルタル酸、アジピン酸、ダイマー脂肪酸、スチレン／無水マレイン酸ポリマーおよびメチルヘキサヒドロフタル酸無水物からなる群、または、これらを含む群から選択される、請求項１〜８のいずれかに記載の接着剤組成物。
【請求項１０】
上記α-βエチレン性不飽和ヒドロキシ化合物は、ポリオールのエチレン性不飽和ヒドロキシ誘導体の中から選択される、請求項１〜９のいずれかに記載の接着剤組成物。
【請求項１１】
上記ポリオールのエチレン性不飽和ヒドロキシ誘導体は、ジオールの誘導体であり、該ジオールは、エチレングリコール、プロピレングリコール、１,３-プロパンジオール、１,２、１,３または１,４-ブタンジオール、２-メチル-１,３-プロパンジオール(ＭＰジオール)、ネオペンチルグリコール(ＮＰＧ)、このようなジオールのアルコキシル化誘導体、ポリエーテルジオール、およびポリエステルジオールから選択される、請求項１０に記載の接着剤組成物。
【請求項１２】
上記油溶性金属塩は、メチルヘキサヒドロフタル酸無水物を、式：ＨＯ(Ｃ２Ｈ５Ｏ)ｎＯＣＨＣ＝ＣＨ２〔式中、平均のｎは６である〕で示されるポリエチレングリコールアクリレートと反応させて半エステルを形成させ、そして該半エステルを、酸化亜鉛と反応させることによって製造された、亜鉛塩である、請求項１〜１１のいずれかに記載の接着剤組成物。
【請求項１３】
請求項１〜１２のいずれかに定義された架橋された樹脂を、該樹脂をリサイクルするために回収する方法であって、
ｉ)請求項１〜１２のいずれかに定義された組成物を、共重合させてイオン的に架橋された樹脂を形成する工程と、
ii)上記イオン的に架橋された樹脂を、該樹脂が流動する温度に加熱することによって、該樹脂を回収する工程
を含む、方法。
【請求項１４】
工程ii)における温度は、少なくとも上記樹脂が押出し可能になる温度である、請求項１３に記載の方法。
【手続補正２】
【補正対象書類名】明細書
【補正対象項目名】００１６
【補正方法】変更
【補正の内容】
【００１６】
該油溶性金属塩モノマーは、バルク、溶液またはエマルジョン重合のいずれかによるアクリルＰＳＡおよびホットメルト感圧接着剤(ＨＭＰＳＡ)樹脂の製造に有用である。該重合反応は、フリーラジカル重合触媒を添加することによって、または単に温度を上昇させることによって、室温以上で進行し得る。金属塩と共重合可能なモノマーとの比は、重量基準で約１:１〜１:２０とすることができる。
【手続補正３】
【補正対象書類名】明細書
【補正対象項目名】００１７
【補正方法】変更
【補正の内容】
【００１７】
該共重合可能なモノマーは、用途に応じて選択される。好適には、それらは一以上の(メタ)アクリレートから選択され、そしてより好適には、ＰＳＡ用には、ブチルアクリレートと２-エチルヘキシルアクリレートの混合物から選択される。ＰＳＡ用には、油溶性金属塩とのコモノマーとして、２-エチルヘキシルアクリレートおよびアクリル酸を使用することが非常に好適である。シーラント用には、共重合可能なモノマーであるブチルアクリレートおよびメチルメタクリレートを使用することができる。
【手続補正４】
【補正対象書類名】明細書
【補正対象項目名】００２９
【補正方法】変更
【補正の内容】
【００２９】
本発明をここに詳細に開示および説明したが、本発明の精神および範囲を逸脱することなく、種々の代替、変形、および改良は、当業者には容易に明らかになるであろう。
本発明の好適な実施態様には、以下のものが含まれる。
〔１〕α-βエチレン性不飽和モノマーを、
(Ａ)金属化合物を、(Ｂ)(１)α-βエチレン性不飽和ヒドロキシ化合物と(２)ポリカルボン酸または無水物、酸化硫黄、または酸化リンを含んでなる反応性混合物の反応生成物である酸官能性化合物と反応させることによって製造された、油溶性金属塩と
共重合させることによって製造された、
可逆性架橋挙動を示す、樹脂組成物。
〔２〕フリーラジカル開始剤の存在下で製造された、上記〔１〕に記載の樹脂組成物。
〔３〕ホットメルト接着剤の形態である、上記〔１〕または〔２〕に記載の樹脂組成物。
〔４〕感圧接着剤またはシーラントの形態である、上記〔１〕〜〔３〕のいずれかに記載の樹脂組成物。
〔５〕感圧接着剤は、溶媒系接着剤である、上記〔４〕に記載の樹脂組成物。
〔６〕α-βエチレン性不飽和モノマーは、一以上の(メタ)アクリレートである、上記〔１〕〜〔５〕のいずれかに記載の樹脂組成物。
〔７〕上記不飽和モノマーは、ブチルアクリレートと２-エチルヘキシルアクリレートの混合物である、感圧接着剤の形態の上記〔６〕に記載の樹脂組成物。
〔８〕放射条件の非存在下で硬化された、上記〔１〕〜〔７〕のいずれかに記載の樹脂組成物。
〔９〕上記金属化合物の金属は、リチウム、ナトリウム、カリウム、セシウム、マグネシウム、カルシウム、ストロンチウム、バリウム、チタン、ジルコニウム、バナジウム、クロム、モリブデン、タングステン、マンガン、鉄、コバルト、ニッケル、パラジウム、銅、亜鉛、カドミウム、水銀、ホウ素、アルミニウム、ガリウム、インジウム、ケイ素、ゲルマニウム、スズ、鉛、アンチモン、およびビスマスからなる群から選択される、上記〔１〕〜〔８〕のいずれかに記載の樹脂組成物。
〔１０〕上記金属化合物は、酸化亜鉛である、上記〔９〕に記載の樹脂組成物。
〔１１〕上記ポリカルボン酸または無水物、酸化硫黄、または酸化リンは、フタル酸、トリメリト酸無水物、ピロメリト酸無水物、５-ノルボルネン-エンド-２,３-ジカルボン酸無水物、ナフチル酸無水物、ナフタレンテトラカルボン酸二無水物、無水マレイン酸、コハク酸無水物、クロレンド酸無水物、マレイン酸、コハク酸、フマル酸、シュウ酸、マロン酸、グルタル酸、アジピン酸、ダイマー脂肪酸、スチレン／無水マレイン酸ポリマーおよびメチルヘキサヒドロフタル酸無水物からなる群、または、これらを含む群から選択される、上記〔１〕〜〔１０〕のいずれかに記載の樹脂組成物。
〔１２〕上記α-βエチレン性不飽和ヒドロキシ化合物は、ポリオールのエチレン性不飽和ヒドロキシ誘導体の中から選択される、上記〔１〕〜〔１１〕のいずれかに記載の樹脂組成物。
〔１３〕上記ポリオールのエチレン性不飽和ヒドロキシ誘導体は、ジオールの誘導体であり、該ジオールは、エチレングリコール、プロピレングリコール、１,３-プロパンジオール、１,２、１,３または１,４-ブタンジオール、２-メチル-１,３-プロパンジオール(ＭＰジオール)、ネオペンチルグリコール(ＮＰＧ)、このようなジオールのアルコキシル化誘導体、ポリエーテルジオール、およびポリエステルジオールから選択される、上記〔１２〕に記載の樹脂組成物。
〔１４〕上記油溶性金属塩は、メチルヘキサヒドロフタル酸無水物を、式：ＨＯ(Ｃ２Ｈ５Ｏ)ｎＯＣＨＣ＝ＣＨ２〔式中、ｎは６である〕で示されるポリエチレングリコールアクリレートと反応させて半エステルを形成させ、そして該半エステルを、酸化亜鉛と反応させることによって製造された、亜鉛塩である、上記〔１〕〜〔１３〕のいずれかに記載の樹脂組成物。
〔１５〕上記〔１〕〜〔１４〕のいずれかに定義された架橋された樹脂を、該樹脂をリサイクルするために回収する方法であって、
ｉ) 上記〔１〕〜〔１４〕のいずれかに定義された組成物を、共重合させてイオン的に架橋された樹脂を形成する工程と、
ii)上記イオン的に架橋された樹脂を、該樹脂が流動する温度に加熱することによって、該樹脂を回収する工程
を含む、方法。
〔１６〕工程ii)における温度は、少なくとも上記樹脂が押出し可能になる温度である、上記〔１５〕に記載の方法。